(57)【要約】本発明は、粘土系を含む固形洗剤組成物であって、上記粘土系がヘクトライト粘土及び２八面体型スメクタイト粘土を含み、上記ヘクトライト粘土と上記２八面体型スメクタイト粘土との重量比が１：１未満であることを特徴とする、固形洗剤組成物に関する。【特許請求の範囲】
【請求項１】
ヘクトライト粘土及び２八面体型スメクタイト粘土を含む固形洗剤組成物であって、前記ヘクトライト粘土と前記２八面体型スメクタイト粘土との重量比が１：１未満であることを特徴とする、固形洗剤組成物。
【請求項２】
前記ヘクトライト粘土が、次の一般式を有し、
［（Ｍｇ３−ｘＬｉｘ）Ｓｉ４−ｙＭｅＩＩＩｙ０１０（ＯＨ２−ｚＦｚ）］−（ｘ＋ｙ）（（ｘ＋ｙ）／ｎ）Ｍｎ＋
式中、ｙは０〜０．４であり、ｙが＞０であれば、ＭｅＩＩＩは、Ａｌ、Ｆｅ又はＢであって、好ましくはｙは０であり；Ｍｎ＋は、一価（ｎ＝１）、又は二価（ｎ＝２）、の金属イオンであって、好ましくはＮａ、Ｋ、Ｍｇ、Ｃａ及びＳｒから選択され；ｘは、０．１〜０．５の数値であって、好ましくは０．２〜０．４、より好ましくは０．２５〜０．３５であり；ｚは、０〜２の数値であって、好ましくはｘ＋ｙの値は、０．１〜０．５の範囲であり、好ましくは０．２〜０．４、より好ましくは０．２５〜０．３５の範囲である、請求項１に記載の固形組成物。
【請求項３】
前記２八面体型スメクタイト粘土がモンモリロナイト粘土であり、前記モンモリロナイト粘土が次の一般式を有し、
ＮａｘＡｌ２−ｘＭｇｘＳｉ４０１０（ＯＨ）２
又は
ＣａｘＡｌ２−ｘＭｇｘＳｉ４０１０（ＯＨ）２
式中、ｘは０．１〜０．５の数値であって、好ましくは０．２〜０．４である請求項１又は２に記載の組成物。
【請求項４】
前記ヘクトライト粘土が３：１より大きいアスペクト比を有することを特徴とする、請求項１〜３のいずれか１項に記載の組成物。
【請求項５】
前記ヘクトライト粘土が５μｍ〜２０μｍの体積重量平均粒径を有し、及び／又は前記２八面体型粘土が２０μｍ超過の体積重量平均粒径を有することを特徴とする、請求項１〜４のいずれか１項に記載の組成物。
【請求項６】
前記組成物が１０重量％以下の粘土の量を含むことを特徴とする、請求項１〜５のいずれか１項に記載の組成物。
【請求項７】
前記組成物が０．０１重量％〜５０重量％の疎水変性セルロース系ポリマー、好ましくはエステルカルボキシメチルセルロースを含み、前記疎水変性セルロース系ポリマーが５００００〜２００００００の重量平均分子量を有することを特徴とする、請求項１〜６のいずれか１項に記載の組成物。
【請求項８】
前記組成物が凝集剤を含み、好ましくは前記凝集剤がポリエチレンオキシドを含むことを特徴とする、請求項１〜７のいずれか１項に記載の組成物。
【請求項９】
前記組成物が環状アミンベースのポリマーを含むことを特徴とする、請求項１〜８のいずれか１項に記載の組成物。
【請求項１０】
前記ヘクトライト粘土及び前記２八面体型スメクタイト粘土が前記組成物中に粒塊の形態で存在し、好ましくは前記ヘクトライト粘土及び前記２八面体型スメクタイト粘土が同一粒塊中に存在することを特徴とする、請求項１〜９のいずれか１項に記載の組成物
【請求項１１】
布地に柔軟化利益を提供するための、請求項１〜６及び８〜１０のいずれか１項に記載の組成物の使用。
【請求項１２】
柔軟化利益及び防しわ利益を布地に提供するための、請求項７に記載の組成物の使用。
【発明の詳細な説明】
【０００１】
（産業上の利用分野）
本発明は、固形布地又は洗浄性組成物、特に、洗濯工程中に布地柔軟化利益を提供する洗濯洗剤組成物に関する。
【０００２】
（発明の背景）
固形洗濯洗剤に対して、洗濯工程中に布地柔軟化利益を提供するという、消費者の要求がある。この要求を満たすために、洗濯業界は、一般に、柔軟剤を固形洗剤製品に加える。こうした柔軟剤は、常に、効率よく布地上に付着するとは限らず、十完全に分散しなかったり、布地表面上に一様に付着しなかったりし、また、洗濯周期の間に洗浄液から除去されたりするので、洗濯周期中に柔軟剤が提供する柔軟化利益を改善することが依然として必要である。現在、洗濯業界は、布地上への粘土付着を改善するために、一般に、粘土を含む凝集助剤を固形洗剤組成物に加える。しかし、改善された布地柔軟化利益が達成される方式で、布地への粘土付着の効率をさらに向上させることが依然として必要である。
【０００３】
本発明者は、意外にも、特定の粘土の組み合わせを使用することによって、これらの粘土は、１種の粘土の同量を使用するときに比べて、改善された布地柔軟化利益を、数回の洗濯周期にわたって提供することを発見した。
【０００４】
さらに、特定のタイプの粘土の組み合わせは、よりよく分散する方式で作用し、また、１種の粘土のみを使用するときに比べて、布地柔軟化利益が数回の洗濯周期にわたって改善される方式で、より容易に布地付着すると考えられている。
【０００５】
さらに、本発明者は、２種の粘土粒塊の形態で固形洗剤組成物中に存在するとき、洗濯周期中に、固形洗剤組成物によって提供される布地柔軟化利益は、さらに改善されることを発見した。本発明者は、２種の粘土が同一粒塊中に存在するとき、２つの別個の粘土粒塊が使用されるのに比べて、提供される布地柔軟化利益がさらに改善されることも発見した。
【０００６】
本発明者は、疎水変性セルロース系ポリマーを、特定のタイプの粘土を含む固形洗剤組成物に加えることによって、提供される布地柔軟化利益がさらに改善され、また、数回の洗濯周期にわたって、布地防しわ利益も提供されることも発見した。
【０００７】
（発明の概要）
本発明の第１の実施形態では、ヘクトライト粘土及び２八面体型スメクタイト粘土を含み、上記ヘクトライト粘土と上記２八面体型スメクタイト粘土との重量比が１：１未満であることを特徴とする、固形洗剤組成物が提供される。
【０００８】
本発明の第２の実施形態では、布地柔軟化利益を布地に提供するために、ヘクトライト粘土及び２八面体型スメクタイト粘土を含み、上記ヘクトライト粘土と上記２八面体型スメクタイト粘土との重量比が１：１未満であることを特徴とする、固形洗剤組成物の使用が提供される。
【０００９】
本発明の第３の実施形態では、布地柔軟化利益及び布地防しわ利益を布地に提供するために、ヘクトライト粘土、２八面体型スメクタイト粘土及び疎水変性セルロース系ポリマーを含み、上記ヘクトライト粘土と上記２八面体型スメクタイト粘土との重量比が１：１未満であることを特徴とする固形洗剤組成物の使用が提供される。
【００１０】
（詳細な説明）
ヘクトライト粘土
本明細書に記載の組成物は、ヘクトライト粘土を含む。本明細書に用いるのに代表的なヘクトライト粘土は、次の一般式を有し、
（Ｉ）［（Ｍｇ３−ｘＬｉｘ）Ｓｉ４−ｙＭｅＩＩＩｙ０１０（ＯＨ２−ｚＦｚ）］−（ｘ＋ｙ）（（ｘ＋ｙ）／ｎ）Ｍｎ＋
式中、ｙは０〜０．４であり、ｙが＞０であれば、ＭｅＩＩＩは、Ａｌ、Ｆｅ又はＢであって、好ましくはｙは０であり；Ｍｎ＋は、一価（ｎ＝１）又は二価（ｎ＝２）の金属イオンであって、好ましくはＮａ、Ｋ、Ｍｇ、Ｃａ及びＳｒから選択される。ｘは、０．１〜０．５の数値であって、好ましくは０．２〜０．４、より好ましくは０．２５〜０．３５である。ｚは、０〜２の数値である。（ｘ＋ｙ）の値は、上記第１の粘土の層変化であって、好ましくは、（ｘ＋ｙ）の値は０．１〜０．５、好ましくは０．２〜０．４、より好ましくは０．２５〜０．３５である。
【００１１】
本発明者は、ヘクトライト粘土の体積重量平均粒径（一般に、５μｍ〜２０μｍ）が、提供される布地の柔軟化利益をさらに改善することを発見した。従って、本明細書で使用するためのヘクトライト粘土は、好ましくは、５〜２０μｍ、好ましくは７〜１９μｍ、より好ましくは１０〜１８μｍ、より好ましくは１２〜１７μｍ、より好ましくは１４〜１６μｍの体積重量平均粒径を有する。上記第１の粘土の上記体積重量平均粒径を決定する方法は、より詳細に後述する。
【００１２】
また、本発明者らは、ヘクトライト粘土が、一般に３：１より大きいアスペクト比によって規定されるラス様基本小板形状を有するとき、提供される布地柔軟化利益はさらに改善されることを発見した。従って、ヘクトライト粘土、特に上記ヘクトライト粘土の基本小板は、３：１より大きいより好ましくは５：１より大きい、より好ましくは７：１より大きい、即ち、好ましくは７：１〜１５：１のアスペクト比を有する。基本小板のアスペクト比は、一般に、基本小板の平均長と基本小板の平均幅との比率と定義される。構造がより長く伸びた基本小板を有するヘクトライト粘土の小さい粒子は、布地の隙間にはまりやすく、洗濯工程の間に、改善された柔軟化利益を与えると考えられている。
【００１３】
本明細書で使用するのに好ましいヘクトライト粘土は、少なくとも９０ｍｅｑ／１００ｇの陽イオン交換能を有するものである。粘土の陽イオン交換能は、グリムショー（Ｇｒｉｍｓｈａｗ）（「粘土の化学及び物理（Ｔｈｅ Ｃｈｅｍｉｓｔｒｙ ａｎｄ Ｐｈｙｓｉｃｓ ｏｆ Ｃｌａｙｓ）」インターサイエンス出版社（Ｉｎｔｅｒｓｃｉｅｎｃｅ Ｐｕｂｌｉｓｈｅｒｓ，Ｉｎｃ．，）、２６４〜２６５頁、１９７１年）に記載の方法を使用して測定することができる。
【００１４】
特に好ましいヘクトライト粘土は、ベントンＨＣ（Ｂｅｎｔｏｎｅ ＨＣ）の商品名でレオックス（Ｒｈｅｏｘ）により供給されるものである。本明細書で使用するのに好ましい他のヘクトライト粘土は、それぞれ、ヘクトライトＵ（Ｈｅｃｔｏｒｉｔｅ Ｕ）及びヘクトライトＲ（Ｈｅｃｔｏｒｉｔｅ Ｒ）の商品名でＣＳＭマテリアルズ（ＣＳＭ Ｍａｔｅｒｉａｌｓ）により供給されるヘクトライト粘土である。
【００１５】
２八面体型スメクタイト粘土
本明細書における組成物は、２八面体型スメクタイト粘土を含む。本明細書では、いずれの２八面体型スメクタイト粘土を使用してもよいが、本明細書で使用するのに好ましい２八面体型スメクタイト粘土は、モンモリロナイト粘土である。
【００１６】
本明細書で使用するための２八面体型スメクタイト粘土は、一般に、次の一般式を有し：
（ＩＩ）ＮａｘＡｌ２−ｘＭｇｘＳｉ４０１０（ＯＨ）２
又は
（ＩＩＩ）ＣａｘＡｌ２−ｘＭｇｘＳｉ４０１０（ＯＨ）２
式中、ｘは０．１〜０．５の数値であって、好ましくは０．２〜０．４である、組成物。
【００１７】
好ましい２八面体型スメクタイト粘土は、上記式（ＩＩ）に相当する一般式を有する低電荷モンモリロナイト粘土（ナトリウムモンモリロナイト粘土又はワイオミング（Ｗｙｏｍｉｎｇ）型モンモリロナイト粘土としても知られる）、又は上記式（ＩＩＩ）に相当する一般式を有する高電荷モンモリロナイト粘土（カルシウムモンモリロナイト粘土又はチェト（Ｃｈｅｔｏ）型モンモリロナイト粘土）である。
【００１８】
本発明者らは、この２八面体型スメクタイト粘土が、一般に２０μｍ超過の体積重量平均粒径を有するとき、提供される布地柔軟化利益がさらに改善されることを発見した。従って、好ましい２八面体型スメクタイト粘土は、２０μｍ超過の、好ましくは２３μｍ超過の、好ましくは２５μｍ超過の、又は好ましくは２１〜６０μｍ、より好ましくは２２〜５０μｍ、より好ましくは２３〜４０μｍ、より好ましくは２４〜３０μｍ、より好ましくは２５〜２８μｍの、体積重量平均粒径を有する。上記第２の粘土の上記体積重量平均粒径を測定する方法は、より詳細に後述する。
【００１９】
第１の粘土及び第２の粘土の体積重量平均粒径を決定する方法
ヘクトライト粘土及び２八面体型スメクタイト粘土の体積重量平均粒子サイズは、それぞれ、次の方法を使用して決定される：
粘土１２ｇを、蒸留水２５０ｍｌが入っているガラスビーカーに入れ、勢いよく５分間攪拌して粘土溶液を作る。粘土は、超音波処理したり、高圧微流動体化プロセッサーで微流動体化したりせず、上記水のビーカーに未処理の状態（即ち、その原料のままの状態）で加える。マイクロピペットを使用して、粘土溶液１ｍを、アキューサイザー７８０単粒子オプティカルサイザー（ＳＰＯＳ）の容器容量に加える。上記アキューサイザー７８０ＳＰＯＳの容器容量に加えた粘土溶液を、より多くの蒸留水で希釈して、希釈粘土溶液を作るが、この希釈は、上記アキューサイザー７８０ＳＰＯＳの容器容量で行われ、希釈粘土溶液中の粘土粒子の体積重量平均粒径を決定するのに最適な、上記希釈粘土溶液の濃度を決定する上記アキューサイザー７８０ＳＰＯＳで制御される自動化された方法である。希釈粘土溶液を、上記アキューサイザー７８０ＳＰＯＳの容器容量の中に３分間放置する。この粘土溶液が記アキューサイザー７８０ＳＰＯＳの容器容量の中にある間ずっと、勢いよく攪拌する。次いで、この希釈粘土溶液を、上記アキューサイザー７８０ＳＰＯＳのセンサーを介して吸い込むが、これは、希釈粘土溶液中の粘土粒子の体積重量粒径を決定するのに最適な、センサーを通る希釈粘土溶液の流速を決定する上記アキューサイザー７８０ＳＰＯＳで制御される自動化された方法である。この方法の全ステップを、２０℃の温度で実施する。この方法を三重に実施し、これらの結果の平均値を決定する。
【００２０】
疎水変性セルロース系ポリマー
本明細書における組成物は、好ましくは（０．０１重量％〜５０重量％、好ましくは０．０５重量％〜２０重量％、より好ましくは０．０５重量％〜１５重量％、より好ましくは０．０５重量％〜１０重量％、より好ましくは０．０５重量％〜５重量％、より好ましくは０．０５重量％〜３重量％、より好ましくは０．１重量％〜２重量％の疎水変性セルロース系ポリマーを含む。本明細書における疎水変性セルロース系ポリマーは、ポリマー、オリゴマー、コポリマー、架橋したポリマー、オリゴマー及びコポリマーを含む。用語「疎水変性セルロース系ポリマー」は、本明細書では「セルロース系ポリマー」を指す。当業者には明白であると考えられるが、オリゴマーは数個のモノマーユニットから構成される分子であり、ポリマーはかなり多くのモノマーユニットを含有するものである。本発明において、オリゴマーは１，０００未満の重量平均分子量を有する分子として、またポリマーは１，０００以上の重量平均分子量を有する分子として定義される。本明細書における適当なタイプのセルロース系ポリマーは、約５，０００〜約２，０００，０００、好ましくは約５０，０００〜約１，０００，０００の重量平均分子量を有する。
【００２１】
本明細書で使用するためのセルロース系ポリマーは、好ましくは次の式を有し：
【化１】
2004515573.tif 000002
式中、各ＲはＲ２、ＲＣ、
及び
【化２】
2004515573.tif 000003
式中：
−各Ｒ２はＨ及びＣ１〜Ｃ４のアルキルから成る群から独立して選択されるものであり、
−各ＲＣは
【化３】
2004515573.tif 000004
であり、
式中、各Ｚは独立してＭ、Ｒ２、ＲＣ及びＲＨから成る群から選択され、
−各ＲＨはＣ５〜Ｃ２０のアルキル、Ｃ５〜Ｃ７のシクロアルキル、Ｃ７〜Ｃ２０のアルキルアリール、Ｃ７〜Ｃ２０のアリールアルキル、置換アルキル、ヒドロキシアルキル、Ｃ１〜Ｃ２０のアルコキシ−２−ヒドロキシアルキル、Ｃ７〜Ｃ２０のアルキルアリールオキシ−２−ヒドロキシアルキル、（Ｒ４）２Ｎ−アルキル、（Ｒ４）２Ｎ−２−ヒドロキシアルキル、（Ｒ４）３Ｎ−アルキル、（Ｒ４）３Ｎ−２−ヒドロキシアルキル、Ｃ６〜Ｃ１２のアリールオキシ−２−ヒドロキシアルキル、下記式
【化４】
2004515573.tif 000005
−各Ｒ４はＨ、Ｃ１〜Ｃ２０のアルキル、Ｃ５〜Ｃ７のシクロアルキル、Ｃ７〜Ｃ２０のアルキルアリール、Ｃ７〜Ｃ２０のアリールアルキル、アミノアルキル、アルキルアミノアルキル、ジアルキルアミノアルキル、ピペリジノアルキル、モルホリノアルキル、シクロアルキルアミノアルキル及びヒドロキシアルキルから成る群から独立して選択されるものであり、
−各Ｒ５はＨ、Ｃ１〜Ｃ２０のアルキル、Ｃ５〜Ｃ７のシクロアルキル、Ｃ７〜Ｃ２０のアルキルアリール、Ｃ７〜Ｃ２０のアリールアルキル、置換型アルキル、ヒドロキシアルキル、（Ｒ４）２Ｎ−アルキル及び（Ｒ４）３Ｎ−アルキルから成る群から独立して選択されるものであり、
式中：
ＭはＮａ、Ｋ、１／２Ｃａ及び１／２Ｍｇから成る群から選択される適当なカチオンであり、
各ｘは０〜約５であり、
各ｙは約１〜約５であり、且つ
−ＲＨ基の置換度は約０．００１〜０．１、より好ましくは約０．００５〜０．０５、最も好ましくは約０．０１〜０．０５であり、
−ＲＣ基の置換度は、ＺがＨ又はＭであるとき、約０．２〜２．０、より好ましくは約０．３〜１．０、最も好ましくは約０．４〜０．７であり、
−いずれかのＲＨが正の電荷を帯びているとき、適当なアニオンで中和し、
−同一窒素原子上の二つのＲ４は、ピペリジン及びモルホリンから成る群から選択される環状構造を共に形成することができることを条件とする、組成物。
【００２２】
ＲＨ基の「置換度」は、本明細書において「ＤＳＲＨ」と略すこともあるが、無水グルコースユニットごとに置換されるＲＨ基成分のモル数を意味する。このとき、無水グルコースユニットは前記一般構造の繰り返しユニットに示したような６員環である。
【００２３】
ＲＣ基の「置換度」は、本明細書において「ＤＳＲＣ」と略すこともあるが、ＺがＨ又はＭであるとき、無水グルコースユニットごとに置換されるＲＣ基成分のモル数を意味する。このとき、無水グルコースユニットは前記一般構造の繰り返しユニットに示したような６員環である。ＺがＨ又はＭであるという条件は、得られるポリマーが可溶性となるようにカルボキシメチル基の数が十分あることを保証するために必要である。ＺがＨ又はＭであるＲＣ成分の必要な数に加えて、ＺがＨ又はＭ以外の基であるＲＣ成分が更に存在することができ、これらの基が存在することが最も好ましいことが理解されよう。
【００２４】
凝集剤
本明細書における組成物は、好ましくは凝集剤を含有してもよく、好ましくは上記組成物の０．００５重量％〜１０重量％、より好ましくは０．０１重量％〜５重量％、より好ましくは０．０５重量％又は０．１重量％〜１重量％存在する。凝集剤は、洗剤基剤顆粒の一部として上記組成物中に存在してもよく、又は上記組成物中に、別個の予備形成された顆粒として粘土系が存在するのであれば、凝集剤は上記別個の予備形成された顆粒の一部として組成物中に存在してもよい。本明細書において好ましい凝集剤は、１００，０００〜１０，０００，０００、好ましくは１５０，０００〜５，０００，０００、より好ましくは２００，０００〜２，０００，０００の重量平均分子量を有する、有機のポリマー物質である。適当な有機ポリマー物質には、アルキレンオキシド、特にエチレンオキシド、アクリルアミド、アクリル酸、ビニルアルコール、ビニルピロリドン及びエチレンイミンから選択されるモノマー単位を含むホモポリマー又はコポリマーが含まれる。エチレンオキシド、アクリルアミド及びアクリル酸のホモポリマー類が好ましい。プロクター・アンド・ギャンブル社（Ｐｒｏｃｔｅｒ ａｎｄ Ｇａｍｂｌｅ Ｃｏｍｐａｎｙ）の出願による、ＥＰ−Ａ−２９９，５７５及び同３１３，１４６には、本明細書で使用するのに好ましい、有機ポリマー系の凝集剤が記載されている。極めて好ましいのは、１５０，０００〜３，０００，０００の重量平均分子量を有するポリエチレンオキシド類である。無機の凝集剤も本明細書で用いるのに適当なことがあり、その典型例は石灰及びミョウバンである。
【００２５】
環状アミン系ポリマー素材
本明細書における組成物は、１種以上の環状アミン系ポリマーを含むことも好ましいことがある。本明細書における組成物は、０．０５重量％〜１０重量％、好ましくは０．０５重量％〜５重量％、又はさらに０．０５重量％〜３重量％、又はさらに０．１重量％〜２重量％の環状アミン系ポリマーを含んでもよい。本明細書で使用されるとき、「ポリマー」は、ポリマーを包含するのみならず、オリゴマー、コポリマー、コオリゴマーも、架橋配置も包含するいかなる構造配置中に存在することも包含する。当業者には明白であると考えられるが、オリゴマーは数個のモノマーユニットから構成される分子であり、ポリマーはかなり多くのモノマーユニットを含有するものである。本発明の場合、オリゴマーは１，０００未満の平均分子量を有する分子と定義され、ポリマーは、１，０００以上の平均分子量を有する分子と定義され、コポリマー又はコオリゴマーは、２種以上の異なるモノマーが、同時に、又は逐次的に、重合した材料である。本明細書で用いるコポリマー又はコオリゴマーは、例えば、ピペリジンのような一級環状アミン系モノマー及びモルホリンのような二級環状アミン系モノマーの混合物から重合したポリマー又はオリゴマーを含むことができる。
【００２６】
本明細書における好ましい環状アミン系ポリマーは、次の一般式を特徴とすることができ：
【化５】
2004515573.tif 000006
式中：
各Ｔは、Ｈ、Ｃ１〜Ｃ１２アルキル、置換アルキル、Ｃ７〜Ｃ１２アルキルアリール、
−（ＣＨ２）ｈＣＯＯＭ，−（ＣＨ２）ｈＳＯ３Ｍ，ＣＨ２ＣＨ（ＯＨ）ＳＯ３Ｍ，−（ＣＨ２）ｈＯＳＯ３Ｍ，
【化６】
2004515573.tif 000007
及び
−Ｒ２Ｑ；
−式中、Ｗは以下からなる群から選択される少なくとも１つの環状構成要素を含み：
【化７】
2004515573.tif 000008
少なくとも１つの環状構成要素に加えて、Ｗは、次の式一般構造の脂肪族又は置換脂肪族部分も含んでもよく；
【化８】
2004515573.tif 000009
−各Ｂは、独立に、Ｃ１〜Ｃ１２アルキレン、Ｃ１〜Ｃ１２置換アルキレン、Ｃ３〜Ｃ１２アルケニレンＣ８〜Ｃ１２ジアルキルアリーレン、Ｃ８〜Ｃ１２ジアルキルアリーレンジイル及び−（Ｒ５０）ｎＲ５−；
−各Ｄは、独立に、Ｃ２〜Ｃ６アルキレンであり；
−各Ｑは、ヒドロキシ、Ｃ１〜Ｃ１８アルコキシ、Ｃ２〜Ｃ１８ヒドロキシアルコキシ、アミノ、Ｃ１〜Ｃ１８アルキルアミノ、ジアルキルアミノ、トリアルキルアミノ基、複素環式モノアミノ基及びジアミノ基からなる群から独立に選択され；
−各Ｒ１は、Ｈ、Ｃ１〜Ｃ８アルキル及びＣ１〜Ｃ８ヒドロキシアルキルからなる群から独立に選択され；
−各Ｒ２は、Ｃ１〜Ｃ１２アルキレン、Ｃ１〜Ｃ１２アルケニレン、−ＣＨ２−ＣＨ（ＯＲ１）−ＣＨ）２，Ｃ８〜Ｃ１２アルカリーレン、Ｃ４〜Ｃ１２ジヒドロキシアルキレン、ポリ（Ｃ２〜Ｃ４アルキレンオキシ）アルキレン、Ｈ２ＣＨ（ＯＨ）ＣＨ２ＯＲ２ＯＣＨ２ＣＨ（ＯＨ）ＣＨ２−及びＣ３〜Ｃ１２ヒドロカルビル部分からなる群から独立に選択されるが；
但し、Ｒ２がＣ３〜Ｃ１２ヒドロカルビル部分であるとき、このヒドロカルビル部分は、一般構造の約２〜約４の分岐鎖部分を含むことができ、
【化９】
2004515573.tif 000010
−各Ｒ３は、Ｈ、Ｏ、Ｒ２、Ｃ１〜Ｃ２０ヒドロキシアルキル、Ｃ１〜Ｃ２０アルキル、置換アルキル、Ｃ６〜Ｃ１１アリール、置換アリール、Ｃ７〜Ｃ１１アルキルアリール、Ｃ１〜Ｃ２０アミノアルキルからなる群から独立に選択され、
−（ＣＨ２）ｈＣＯＯＭ，−（ＣＨ２）ｈＳＯ３Ｍ，ＣＨ２ＣＨ（ＯＨ）ＳＯ３Ｍ，−（ＣＨ２）ｈＯＳＯ３Ｍ，
【化１０】
2004515573.tif 000011
−各Ｒ４は、Ｈ、Ｃ１〜Ｃ２２アルキル、Ｃ１〜Ｃ２２ヒドロキシアルキル、アリール及びＣ７〜Ｃ２２アルキルアリールからなる群から独立に選択され；
−各Ｒ５は、Ｃ２〜Ｃ８アルキレエン、Ｃ２〜Ｃ８アルキル置換アルキレンからなる群から独立に選択され；また、
Ａは、適合性のある一価又は二価又は多価の陰イオンであり；
Ｍは、適合性のある陽イオンであり；
ｂは、電荷のバランスを保つのに必要な数であり；
各ｘは、独立に３〜約１０００であり；
各ｃは、独立に０又は１であり；
各ｈは、独立に約１〜約８であり；
各ｑは、独立に０〜約６であり；
各ｎは、独立に約１〜約２０であり；
各ｒは、独立０〜約２０であり；
各ｔは、独立に０〜１である。
【００２７】
この環状アミン系ポリマーは、これらの環状アミン系素材の組み合わせを含んでもよい。例えば、ピペリジン及びエピハロヒドリン縮合物の混合物は、モルホリン及びエピハロヒドリン縮合物の混合物と組み合わせると、生地を望ましい形で処理することができる。さらに、環状ポリマーの分子量は、本明細書に例示する通り、様々であってもよい。
【００２８】
この一般構造に分類される好ましい環状アミン系ポリマーとしては、次の化合物などがあり：
−式中、各Ｒ１はＨであり；
−少なくとも１つのＷが、以下からなる群から選択されるものである：
【化１１】
2004515573.tif 000012
更に好ましい化合物は、次のものであり：
−式中、各Ｒ１はＨであり、
−少なくとも１つのＷは，以下からなる群から選択される。
【化１２】
2004515573.tif 000013
最も好ましい化合物は、次の式のものであって、
−式中、Ｒ１はＨであり、
−少なくとも１つのＷが、以下からなる群から選択される。
【化１３】
2004515573.tif 000014
【００２９】
連結基Ｒ２として使用される好ましい化合物としては、ポリエポキシド類、エチレンカーボネート、プロピレンカーボネート、尿素、α、β−不飽和カルボン酸、α、β−不飽和カルボン酸のエステル類、α、β−不飽和カルボン酸のアミド類、α、β−不飽和カルボン酸の無水物、ジ−又はポリカルボン酸類、ジ−又はポリカルボン酸のエステル類、ジ−又はポリカルボン酸のアミド類、ジ−又はポリカルボン酸の無水物、グリシジルハロゲン類、クロロホルム性エステル類クロロ酢酸性エステル類、クロロホルム性エステルの誘導体、クロロ酢酸性エステルの誘導体、エピハロヒドリン類、グリセロールジクロロヒドリン類、ビス−（ハロヒドリン類）、ポリエーテルジハロ化合物、ホスゲン、ポリハロゲン類、官能化グリシジルエーテル類及びそれらの混合物などがあるが、その限りではない。
【００３０】
さらに、Ｒ２は、ポリエーテルジアミン類、アルキレンジアミン類、ポリアルキレンポリアミン類、アルコール類、アルキレングリコール類及びポリアルキレングリコール類の１つ以上と、α、β−不飽和カルボン酸、α、β−不飽和カルボン酸のエステル類、α、β−不飽和カルボン酸のアミド類及びα、β−不飽和カルボン酸の無水物との反応によって形成される反応生成物も含むことができるが、但し、この反応生成物は、少なくとも２つの二重結合、２つのアルボキシル基、２つのアミド基、又は２つのエステル基を含む。
【００３１】
さらに、本明細書に用いるのに好ましい環状アミン系ポリマー類には、ピペラジン、ピペリジン、エピクロロヒドリン、エピクロロヒドリンベンジルクオット、エピクロロヒドリンメチルクオット、モルホリン及びこれらの混合物からなる群から選択される２つ以上の化合物の付加物が含まれる。
【００３２】
本明細書できわめて好ましい環状アミンベースのポリマーは、イミダゾール−エピクロロヒドリンコポリマー類と呼んでいる。
【００３３】
これらの環状アミンベースのポリマーは、直鎖であっても分岐鎖であってもよい。特定の種類の分岐鎖は、多官能架橋剤を使用して導くことができる。このようなポリマーの例を以下に示す。
【化１４】
2004515573.tif 000015
【００３４】
任意の洗剤成分
本明細書における組成物は、次の洗剤成分を含んでもよい：
界面活性剤
本明細書の組成物は、好ましくは陰イオン性、非イオン性、陽イオン性、両性、両向性及び双極性界面活性剤及びそれらの混合物から選択される１つ以上の界面活性剤を含む。
【００３５】
陰イオン性、非イオン性、両性系及び双性イオン系の部類及びこのような界面活性剤の種の典型的列記は、米国特許第３，９２９，６７８号（１９７５年１２月３０日ラフリン（Ｌａｕｇｈｌｉｎ）とフリング（Ｈｅｕｒｉｎｇ）に発行）にある。更なる例は「界面活性剤及び洗剤」（Ｓｕｒｆａｃｅ Ａｃｔｉｖｅ Ａｇｅｎｔｓ ａｎｄ Ｄｅｔｅｒｇｅｎｔｓ）（Ｉ及びＩＩ巻、シュワルツ（Ｓｃｈｗａｒｔｚ）、ペリー（Ｐｅｒｒｙ）及びバーチ（Ｂｅｒｃｈ）著）に記載されている。適当な陽イオン性界面活性剤の列記は、米国特許第４，２５９，２１７号（１９８１年３月３１日マーフィ（Ｍｕｒｐｈｙ）に発行）にある。
【００３６】
存在する場合、一般に、両性、両向性及び双極性界面活性剤が、１つ以上の陰イオン及び／又は非イオン性界面活性剤と組み合わせて使用される。
【００３７】
アニオン系界面活性剤
本明細書の組成物は好ましくはさらなる陰イオン性界面活性剤を含む。本質的に、洗剤目的で有用ないかなる陰イオン系界面活性剤も本明細書における組成物に包含することができる。これらには、陰イオン系サルフェート、スルホネート、カルボキシレート及びサルコシネート界面活性剤の塩（例えば、ナトリウム塩、カリウム塩、アンモニウム塩、並びにモノ−、ジ−及びトリエタノールアミン塩のような置換型アンモニウム塩を含む）を挙げることができる。陰イオン系界面活性剤及びスルホネート界面活性剤が好ましい。
【００３８】
極めて好ましいのは、スルホネート及びスルフェート界面活性剤、好ましくは本明細書に記載の、直鎖状又は分岐鎖状のアルキルベンゼンスルホネート及びアルキルエトキシルスルフェートを、好ましくは本明細書に記載の陽イオン系界面活性剤と組み合わせて、含む界面活性剤系である。
【００３９】
他のアニオン系界面活性剤としては、アシルイセチオネート類などのイセチオネート類、Ｎ−アシルタウレート類、メチルタウリドの脂肪酸アミド類、アルキルコハク酸塩類及びスルホコハク酸塩類、スルホコハク酸塩のモノエステル類（とりわけ飽和型及び不飽和型Ｃ１２〜Ｃ１８モノエステル）スルホコハク酸塩のジエステル類（とりわけ飽和型及び不飽和型Ｃ６〜Ｃ１４ジエステル）、Ｎ−アシルサルコシン酸塩類が挙げられる。ロジン、水素添加ロジンなどの樹脂酸及び水素添加樹脂酸もまた好適で、樹脂酸及び水素添加樹脂酸は獣脂油に存在又は由来する。
【００４０】
陰イオン系スルフェート界面活性剤
本明細書での使用に適当な陰イオン性スルフェート界面活性剤としては、直鎖及び分岐鎖状の一級及びニ級アルキルスルフェート類、アルキルエトキシスルフェート類、脂肪族オレオイルグリセロールスルフェート類、アルキルフェノールエチレンオキシドエーテルスルフェート類、Ｃ５〜Ｃ１７アシル−Ｎ−（Ｃ１〜Ｃ４アルキル）及び−Ｎ−（Ｃ１〜Ｃ２ヒドロキシアルキル）グルカミンスルフェート類、ならびにアルキルポリグルコシド（本明細書に記載の非イオン性非硫酸化化合物）の硫酸塩などのアルキル多糖類の硫酸塩類が挙げられる。
【００４１】
アルキルサルフェート界面活性剤は、好ましくは、直鎖及び分岐鎖状の一級Ｃ１０〜Ｃ１８アルキルサルフェート類、より好ましくはＣ１１〜Ｃ１５分岐鎖アルキルサルフェート類及びＣ１２〜Ｃ１４直鎖アルキルサルフェート類から選択される。
【００４２】
アルキルエトキシサルフェート界面活性剤は、好ましくは、分子当り０．５〜２０モルのエチレンオキシドでエトキシ化したＣ１０〜Ｃ１８アルキルサルフェート類から成る群から選択される。より好ましくは、アルキルエトキシサルフェート界面活性剤は、分子当り０．５〜７、好ましくは１〜５モルのエチレンオキシドでエトキシ化したＣ１１〜Ｃ１８、最も好ましくはＣ１１〜Ｃ１５アルキルサルフェートである。
【００４３】
陰イオン系スルホネート界面活性剤
本明細書での使用に適当な陰イオン系スルホネート界面活性剤には、Ｃ５〜Ｃ２０の線状アルキルベンゼンスルホネート類、アルキルエーテルスルホネート類、Ｃ６〜Ｃ２２の第１級又は第２級のアルカンスルホネート類、Ｃ６〜Ｃ２４のオレフィンスルホネート類、スルホン化ポリカルボン酸、アルキルグリセロールスルホネート、脂肪アシルグリセロールスルホネート類、脂肪オレイルグリセロールスルホネート類の塩及びそれらの混合物の任意のものが挙げられる。
【００４４】
陰イオン系カルボキシレート界面活性剤
適当なアニオン系カルボキシレート界面活性剤類としては、アルキルエトキシカルボキシレート類、アルキルポリエトキシポリカルボキシレート界面活性剤類及び石鹸類（「アルキルカルボキシ」）、とりわけ本明細書に記載した二級石鹸が挙げられる。
【００４５】
適当なアルキルエトキシカルボキシレート類には、式、ＲＯ（ＣＨ２ＣＨ２Ｏ）ｘＣＨ２ＣＯＯ−Ｍ＋を持つものが挙げられ、式中、ＲはＣ６〜Ｃ１８のアルキル基であり、ｘは０〜１０の範囲内であり、エトキシ化の分布が、ｘが０のときの物質が２０重量％未満であり、Ｍは陽イオンである。適当なアルキルポリエトキシポリカルボキシレート界面活性剤には、式、ＲＯ−（ＣＨＲ１−ＣＨＲ２−Ｏ）ｘ−Ｒ３を有するものが挙げられ、式中、Ｒは、Ｃ６〜Ｃ１８のアルキル基であり、ｘは１〜２５であり、Ｒ１及びＲ２は、水素、メチル酸基、コハク酸基、ヒドロキシコハク酸基及びそれらの混合物から成る群から選択され、Ｒ３は、水素、置換型又は非置換型の１と８の間の炭素原子を有する炭化水素及びそれらの混合物から基本的に構成される群から選択される。
【００４６】
適当な石鹸界面活性剤には、第２級炭素に結合したカルボキシル単位を含有する第２級石鹸界面活性剤が挙げられる。本明細書での使用に好ましい第２級界面活性剤は、２−メチル−１−ウンデカン酸、２−エチル−１−デカン酸、２−プロピル−１−ノナン酸、２−ブチル−１−オクタン酸及び２−ペンチル−１−ヘプタン酸の水溶性塩から成る群から選択される水溶性メンバーである。ある石鹸は泡抑制剤として包含されてもよい。
【００４７】
アルカリ金属サルコシネート界面活性剤
他の適当なアニオン系界面活性剤は、式Ｒ−ＣＯＮ（Ｒ１）ＣＨ２ＣＯＯＭのアルカリ金属サルコシン酸であり、式中、ＲはＣ５〜Ｃ１７直鎖状又は分岐鎖状アルキル又はアルケニル基であり、Ｒ１はＣ１〜Ｃ４アルキル基であり、Ｍはアルカリ金属イオンである。好ましい例は、ナトリウム塩の形態であるミリスチル及びオレオイルメチルサルコシン酸塩類である。
【００４８】
アルコキシル化非イオン界面活性剤
本質的には、本明細書ではいかなるアルコキシル化非イオン界面活性剤も好適である。エトキシ化及びプロポキシル化非イオン性界面活性剤が好ましい。
【００４９】
好ましいアルコキシル化界面活性剤はアルキルフェノール類の非イオン性縮合物、非イオン性エトキシ化アルコール類、非イオン性エトキシ化／プロポキシル化脂肪族アルコール類、プロピレングリコールと非イオン性エトキシレート／プロポキシレートの縮合物及びプロピレンオキシド／エチレンジアミン付加物と非イオン性エトキシレートとの縮合生成物の部類から選択することができる。
【００５０】
非イオン系アルコキシル化アルコール性界面活性剤
脂肪族アルコールと、１〜２５モルのアルキレンオキシド、特にエチレンオキシド及び／又はプロピレンオキシドとの縮合反応生成物は、本明細書での使用に好適である。脂肪族アルコールのアルキル鎖は直鎖状又は分岐鎖状、一級又は二級であることができ、一般的には６〜２２個の炭素原子を含有する。特に好ましいのは、８〜２０の炭素原子を含有するアルキル基を有するアルコールとアルコールのモル当り２〜１０モルのエチレンオキシドとの縮合産物である。
【００５１】
非イオン性ポリヒドロキシ脂肪酸アミド界面活性剤
本明細書で使用するのに適当なポリヒドロキシ脂肪酸アミドは、Ｒ２ＣＯＮＲ１Ｚの構造式を有するもので、式中、Ｒ１は、Ｈ、Ｃ１〜Ｃ４ヒドロカルビル、２−ヒドロキシエチル、２−ヒドロキシプロピル、エトキシ、プロポキシ、又はそれらの混合物であり、好ましくはＣ１〜Ｃ４アルキル、より好ましくはＣ１又はＣ２アルキル、最も好ましくはＣ１アルキル（すなわちメチル）であり；Ｒ２は、Ｃ５〜Ｃ３１ヒドロカルビル、好ましくは直鎖のＣ５〜Ｃ１９アルキル又はアルケニル、より好ましくは直鎖のＣ９〜Ｃ１７アルキル又はアルケニル、最も好ましくは直鎖のＣ１１〜Ｃ１７アルキル又はアルケニル、又は、それらの混合物であり；Ｚは、少なくとも３つのヒドロキシルが鎖に直接ついている直鎖のヒドロカルビル鎖を有するポリヒドロキシヒドロカルビル又は、そのアルコキシル化（好ましくはエトキシル化又はプロキシル化）誘導体である。Ｚは好ましくは還元型アミノ化反応において還元糖から誘導され；より好ましくはＺはグリシチルである。
【００５２】
非イオン系脂肪酸アミド界面活性剤
適当な脂肪酸アミド界面活性剤としては、式：Ｒ６ＣＯＮ（Ｒ７）２を有するものなどがあり、式中、Ｒ６は７〜２１、好ましくは９から〜１７個の炭素原子を含むアルキル基であり、各Ｒ７は水素、Ｃ１〜Ｃ４アルキル、Ｃ１〜Ｃ４ヒドロキシアルキル、及び−（Ｃ２Ｈ４Ｏ）ｘＨ（ここでｘは１〜３の範囲である）からなる群から選択される。
【００５３】
非イオン系アルキル多糖類界面活性剤
本明細書で使用するのに適したアルキル多糖類は、米国特許第４，５６５，６４７号（１９８６年１月２１日発行、レナード（Ｌｌｅｎａｄｏ））で開示されており、６〜３０の炭素原子を含有する疎水性基及び１．３〜１０の糖単位を含有する、例えば、ポリグリコシドのような、多糖類親水性基を有する。
【００５４】
好ましいアルキルポリグリコシド類は次式を有する：
Ｒ２Ｏ（ＣｎＨ２ｎＯ）ｔ（グリコシル）ｘ
上記式中、Ｒ２は、アルキル、アルキルフェニル、ヒドロキシアルキル、ヒドロキシアルキルフェニル及びこれらの混合物から成る群から選択され、このアルキル基は１０〜１８個の炭素原子を含有する；ｎは２又は３であり；ｔは０〜１０であり、ｘは１．３〜８である。グリコシルは好ましくはグルコースから誘導される。
【００５５】
両性界面活性剤
本明細書の使用に適当な両性界面活性剤としては、アミンオキシド界面活性剤類及びアルキルアンフォカルボン酸類が挙げられる。
【００５６】
適当なアミンオキシドには、式Ｒ３（ＯＲ４）ｘＮ０（Ｒ５）２を有する化合物が挙げられ、式中、Ｒ３は、８〜２６個の炭素原子を含有するアルキル、ヒドロキシアルキル、アシルアミドプロポイル及びアルキルフェニル基、若しくはそれらの混合物から選択され、Ｒ４は、２〜３個の炭素原子を含有するアルキレン基若しくはヒドロキシアルキレン基、若しくはそれらの混合物であり、ｘは０〜５、好ましくは０〜３であり、Ｒ５はそれぞれ、１〜３を含有するアルキル若しくはヒドロキシアルキル基、又は１〜３のエチレンオキシド基を含有するポリエチレンオキシド基である。好ましいのは、Ｃ１０〜Ｃ１８のアルキルジメチルアミンオキシド、及びＣ１０〜１８のアシルアミドアルキルジメチルアミンオキシドである。
【００５７】
アルキルアホジカルボン酸の適当な例は、ミラノール（Ｍｉｒａｎｏｌ）社（ニュージャージー州、デイトン）により製造されているミラノール（商標）Ｃ２Ｍ濃縮型である。
【００５８】
双極性界面活性剤
双極性界面活性剤も本明細書における組成物に組み込むことができる。これらの界面活性剤は第二級及び第三級アミン類の誘導体、複素環式第二級及び第三級アミン類の誘導体、又は第四級アンモニウム、第四級ホスホニウム若しくは第三級スルホニウム化合物の誘導体として広く記載されることができる。ベタイン及びスルタイン界面活性剤は本明細書の使用に代表的な双極性界面活性剤である。
【００５９】
適当なベタインは、式、Ｒ（Ｒ’）２Ｎ＋Ｒ２ＣＯＯ−を有する化合物であり、式中、Ｒは、Ｃ６〜Ｃ１８のヒドロカルビル基であり、それぞれ、Ｒ１は通常、Ｃ１〜Ｃ３のアルキル、及びＲ２はＣ１〜Ｃ５のヒドロカルビル基である。好ましいベタイン類は、Ｃ１２〜１８のジメチル−アンモニオヘキサノエートベタイン及びＣ１０〜１８のアシルアミドプロパン（又はエタン）ジメチル（又はジエチル）ベタイン類である。錯体ベタイン界面活性剤も本明細書での使用に好適である。
【００６０】
カチオン系界面活性剤
本明細書の組成物で使用するのに適当な陽イオン系界面活性剤としては、四級アンモニウム界面活性剤などがある。好ましくは上記四級アンモニウム界面活性剤はモノＣ６〜Ｃ１６、好ましくはＣ６〜Ｃ１０のＮ−アルキル又はアルケニルアンモニウム界面活性剤であり、その際に残存するＮ位は、メチル基、ヒドロキシエチル基、又はヒドロキシプロピル基によって置換される。好ましいのは、更にモノ−アルコキシル化アミン界面活性剤及びビス−アルコキシル化アミン界面活性剤である。
【００６１】
本明細書における組成物で使用することができる陽イオン系界面活性剤の別の適当な群は、陽イオンエステル界面活性剤である。
【００６２】
陽イオン系エステル界面活性剤は、好ましくは少なくとも１つのエステル（すなわち−ＣＯＯ−）結合、及び少なくとも１つの陽イオン荷電基を含む界面活性剤の特性を有する水分散性化合物である。
【００６３】
コリンエステル界面活性剤を包含する適当な陽イオン系エステル界面活性剤は、例えば米国特許第４，２２８，０４２号、同第４，２３９，６６０号、及び第４，２６０，５２９号に開示されている。
【００６４】
１つの好ましい態様では、上記エステル結合及び陽イオン荷電基は、界面活性剤分子中で、少なくとも３原子、好ましくは３〜８原子、より好ましくは３〜５原子、最も好ましくは３原子を含む（すなわち、３原子鎖長さの）鎖からなるスペーサー基でによって、互いに離れている。スペーサー基鎖を形成している原子は、炭素原子、窒素原子及び酸素原子ならびにそれらの任意の混合物からなる群から選択されるが、但し、上記鎖中の任意の窒素原子又は酸素原子は、鎖中の炭素原子のみと接続する。従って、例えば、−Ｏ−Ｏ−（即ち、ペルオキシド）、−Ｎ−Ｎ−、及び−Ｎ−Ｏ−結合を有するスペーサー基は除外されるが、例えば、−ＣＨ２−Ｏ−ＣＨ２−及び−ＣＨ２−ＮＨ−ＣＨ２−結合を有するスペーサー基は含まれる。好ましい態様において、スペーサー基鎖は、炭素原子のみを含み、最も好ましくはこの鎖はヒドロカルビル鎖である。
【００６５】
カチオン性モノアルコキシル化アミン界面活性剤
本明細書において極めて好ましいのは、好ましくは一般式Ｉで表される、陽イオン性モノアルコキシル化アミン界面活性剤であり、
【化１５】
2004515573.tif 000016
式中、Ｒ１は約６〜約１８個の炭素原子、好ましくは６〜約１６個の炭素原子、最も好ましくは約６〜約１４個の炭素原子を含有するアルキル又はアルケニル部分であり、Ｒ２及びＲ３はそれぞれ独立して、１〜約３個の炭素原子を含有するアルキル基、好ましくはメチルであり、最も好ましくはＲ２及びＲ３は両者ともメチル基であり、Ｒ４は水素原子（好ましい）、メチル及びエチルから選択され、Ｘ−はクロリド、ブロミド、メチルスルフェート、スルフェート等の、電気的中性を提供するための陰イオンを表わし、Ａはアルコキシ基、特にエトキシ、プロポキシ又はブトキシ基であり、ｐは０〜約３０、好ましくは２〜約１５、最も好ましくは２〜約８である。
【００６６】
好ましくは式ＩにおけるＡｐＲ４基はｐ＝１を有し、６個以内の炭素原子を有するヒドロキシアルキル基であって、−ＯＨ基は、３個以内の炭素原子によって四級アンモニウム窒素原子と離れている。特に好ましいＡｐＲ４基は、−ＣＨ２ＣＨ２ＯＨ，−ＣＨ２ＣＨ２ＣＨ２ＯＨ，−ＣＨ２ＣＨ（ＣＨ３）ＯＨ及び−ＣＨ（ＣＨ３）ＣＨ２ＯＨであり、−ＣＨ２ＣＨ２ＯＨが特に好ましい。好ましいＲ１基は、直鎖アルキル基である。８〜１４個の炭素原子を有する直鎖Ｒ１基が好ましい。
【００６７】
本明細書で使用するのに極めて好ましい別の陽イオンモノアルコキシル化アミン界面活性剤は次の式を有するものであり：
【化１６】
2004515573.tif 000017
式中Ｒ１はＣ１０〜Ｃ１８ヒドロカルビル及びこれらの混合物、特にＣ１０〜Ｃ１４アルキルであって、好ましくはＣ１０及びＣ１２アルキルであり、Ｘは電荷平衡を提供するいずれかの便利な陰イオンであり、好ましくはクロリド又はブロミドある。
【００６８】
記載したように、前述の種類の化合物としては、エトキシ（ＣＨ２ＣＨ２Ｏ）単位（ＥＯ）がブトキシ、イソプロポキシ［ＣＨ（ＣＨ３）ＣＨ２Ｏ］及び［ＣＨ２ＣＨ（ＣＨ３Ｏ］単位（ｉ−Ｐｒ）又はｎ−プロポキシ単位（Ｐｒ）、又はＥＯ及び／若しくはＰｒ及び／若しくはｉ−Ｐｒ単位の混合物で置き換えられるものが挙げられる。
【００６９】
本明細書の組成物に使用される陽イオン性モノアルコキシル化アミン界面活性剤の含量は、上記組成物の、好ましくは約０．１重量％〜２０重量％、より好ましくは０．２重量％〜７重量％、最も好ましくは約０．３重量％〜３．０重量％である。
【００７０】
カチオン性ビスアルコキシル化アミン界面活性剤
陽イオン系ビス−アルコキシル化アミン界面活性剤は、好ましくは一般式ＩＩを有する。
【化１７】
2004515573.tif 000018
式中、Ｒ１は約８〜約１８個の炭素原子、好ましくは１０〜約１６個の炭素原子、最も好ましくは約１０〜約１４個の炭素原子を含有するアルキル又はアルケニル部分であり、Ｒ２は１〜３個の炭素原子を含有するアルキル基、好ましくはメチル基であり、Ｒ３及びＲ４は独立して変化することができ、且つ水素（好ましい）、メチル及びエチルから選択され、Ｘ−はクロリド、ブロミド、メチルスルフェート、スルフェート等の、電気的中性を提供するのに十分な陰イオンである。Ａ及びＡ’は独立して変化することができ、そしてそれぞれＣ１〜Ｃ４アルコキシ、とりわけエトキシ、（すなわち、−ＣＨ２ＣＨ２Ｏ−）、プロポキシ、ブトキシ及びこれらの混合物から選択され；ｐは１〜約３０、好ましくは１〜約４及びｑは１〜約３０、好ましくは１〜約４、並びに最も好ましくはｐ及びｑ両方とも１である。
【００７１】
本明細書で使用するのに極めて好ましい陽イオンビスアルコキシル化アミン界面活性剤は次の式のものであり、
【化１８】
2004515573.tif 000019
式中Ｒ１はＣ１０〜Ｃ１８ヒドロカルビル及びこれらの混合物、好ましくはＣ１０，Ｃ１２，Ｃ１４アルキル及びこれらの混合物である。Ｘは電荷平衡を提供するいずれかの簡便なアニオンで、好ましくは塩素である。上記の一般的なカチオンビスアルコキシル化アミン構造に関して、好ましい化合物においてＲ１は（ココナツ）Ｃ１２〜Ｃ１４アルキル画分脂肪酸類に由来するので、Ｒ２はメチルであり及びＡｐＲ３、並びにＡ’ｑＲ４はそれぞれモノエトキシである。
【００７２】
本明細書で使用するための使用するその他の別の陽イオン系ビスアルコキシル化アミン界面活性剤としては次の式の化合物が挙げられ：
【化１９】
2004515573.tif 000020
式中、Ｒ１はＣ１０〜Ｃ１８ヒドロカルビル、好ましくはＣ１０〜Ｃ１４アルキルであり、独立してｐは１〜約３であり、ｑは１〜約３であり、Ｒ２はＣ１〜Ｃ３アルキル、好ましくはメチルであり、Ｘは陰イオン、特にとりわけクロリド又はブロミドである。
【００７３】
前述の種類の他の化合物としては、エトキシ（ＣＨ２ＣＨ２Ｏ）単位（ＥＯ）がブトキシ（Ｂｕ）、イソプロポキシ［ＣＨ（ＣＨ３）ＣＨ２Ｏ］及び［ＣＨ２ＣＨ（ＣＨ３Ｏ］単位（ｉ−Ｐｒ）又はｎ−プロポキシ単位（Ｐｒ）、又はＥＯ及び／若しくはＰｒ及び／若しくはｉ−Ｐｒ単位の混合物で置き換えられるものが挙げられる。
【００７４】
結合剤
本明細書における組成物は、１種以上の結合剤を含んでもよい。好ましい結合剤は、さらに詳細に後述する。これらの結合剤は、水溶性ビルディング化合物（本明細書では、水溶性結合剤化合物とも呼ぶ）であってもよく、非水溶性又は部分的水溶性結合剤（本明細書では、不溶性結合剤化合物又は部分的可溶性結合剤化合物とも呼ぶ）であってもよい。
【００７５】
水溶性結合剤化合物
本明細書における組成物は、好ましくは一般に、組成物の１重量％〜８０重量％、好ましくは１０重量％〜６０重量％、最も好ましくは１５重量％〜４０重量％のレベルで存在する水溶性結合剤化合物を含有してもよい。
【００７６】
本明細書における組成物は、好ましくはホスフェート含有結合剤材料を含んでもよい。好ましくは組成物の０．５重量％〜６０重量％、より好ましくは５重量％〜５０重量％、より好ましくは８重量％〜４０重量％のレベルで存在する。
【００７７】
ホスフェート含有結合剤材料は、好ましくはピロリン酸四ナトリウム、又はさらにより好ましくは無水トリポリリン酸ナトリウムを含む。
【００７８】
適当な水溶性結合剤化合物には、水溶性モノマーのポリカルボキシレート類又はその酸性形態、ポリカルボン酸が２以下の炭素原子で互いに離れた少なくとも２つのカルボキシル基を含むホモポリマー又はコポリマーのポリカルボン酸又はそれらの塩類、ボレート類及び前述の任意のものの混合物が挙げられる。
【００７９】
モノマーのポリカルボキシレートがコスト及び性能という理由で一般に好まれるが、カルボキシレート又はポリカルボキシレート類の結合剤は、モノマーであってもオリゴマーであってもよい。
【００８０】
カルボキシ基を含有する適当なカルボキシレートには、乳酸の水溶性塩、グリコール酸の水溶性塩及びそのエーテル誘導体が挙げられる。２つのカルボキシ基を含有するポリカルボキシレートには、コハク酸、マロン酸、（エチレンジオキシ）二酢酸、マレイン酸、ジグリコール酸、酒石酸、タルトロン酸及びフマル酸の水溶性塩、並びにエーテルカルボキシレート類及びスルフィニルカルボキシレート類が挙げられる。３つのカルボキシル基を含有するポリカルボキシレート又はそれらの酸には、特に水溶性シトレート、アコニトレート（ａｃｏｎｉｔｒａｔｅｓ）及びシトラコネート（ｃｉｔｒａｃｏｎａｔｅｓ）、並びに英国特許第１，３７９，２４１号に記載されるカルボキシメチロキシスクシネートのようなスクシネート誘導体、英国特許第１，３８９，７３２号に記載されるラクトキシスクシネート、及びオランダ特許出願番号７，２０５，８７３に記載されるアミノスクシネート、及び英国特許第１，３８７，４４７号に記載される２−オキサ−１，１，３−プロパントリカルボキシレートのようなオキシポリカルボキシレート物質が含まれる。３つのカルボキシル基を含有する最も好ましいポリカルボン酸はクエン酸であり、組成物の好ましくは０．１重量％〜１５重量％、更に好ましくは０．５重量％〜８重量％の濃度で存在する。
【００８１】
４つのカルボキシ基を含有するポリカルボキシレートには、英国特許１，２６１，８２９で開示されたオキシジスクシネート、１，１，２，２−エタンテトラカルボキシレート類、１，１，３，３−プロパンテトラカルボキシレート類及び１，１，２，３−プロパンテトラカルボキシレート類が挙げられる。スルホ置換型基を含有するポリカルボキシレートには、英国特許第１，３９８，４２１号及び同第１，３９８，４２２号及び米国特許第３，９３６，４４８号で開示されたスルホスクシネート誘導体、並びに英国特許第１，４３９，０００号で開示されたスルホン化し加熱脱水されたシトレート類が挙げられる。好ましいポリカルボキシレートは、１分子当たり３つまでのカルボキシル基を含有するヒドロキシカルボキシレート類、特にシトレート類である。
【００８２】
モノマー若しくはオリゴマーのポリカルボキシレートキレート剤の母型酸又はそれらの塩との混合物、例えば、クエン酸若しくはクエン酸塩／クエン酸混合物も有用な結合剤構成成分として熟考される。
【００８３】
洗剤貯蔵中又は洗濯条件下でホウ酸を生成することができるボレート結合剤、ならびにホウ酸形成材含有結合剤は、本明細書における有用な水溶性結合剤である。
【００８４】
水溶性ホスフェート結合剤類の適当な例は、アルカリ金属トリポリホスフェート類、ナトリウム、カリウム及びアンモニウムピロホスフェート、ナトリウム及びカリウム及びアンモニウムピロホスフェート、ナトリウム及びカリウムオルトホスフェート、重合度が約６〜２１の範囲であるナトリウムポリメタ／ホスフェート、並びにフィチン酸の塩である。
【００８５】
部分的に可溶性又は不溶性の結合剤化合物
本明細書における組成物は部分的に可溶性又は不溶性の結合剤化合物を含有してもよく、一般に、洗剤組成物の０．５重量％〜６０重量％、好ましくは５重量％〜５０重量％、最も好ましくは８重量％〜４０重量％のレベルで存在する。
【００８６】
主として非水溶性の結合剤の例には、ナトリウムアルミノシリケートが挙げられる。
【００８７】
適当なアルミノシリケートゼオライトは、単位格子式Ｎａｚ［（ＡｌＯ２）ｚ（ＳｉＯ２）ｙ］）ｙ］．ｘＨ２Ｏを有し、式中、ｚ及びｙとのモル比は１．０〜０．５であり、ｘは少なくとも５、好ましくは７．５〜２７６あり、より好ましくは１０〜２６４である。アルミノシリケート塩物質は水和型であり、好ましくは１０％〜２８％、より好ましくは１８％〜２２％の結合形態の水を含有する結晶である。
【００８８】
アルミノシリケートゼオライトは、天然に存在する物質であることができるが、好ましくは合成的に誘導される。合成の結晶性アルミノシリケートイオン交換物質は、ゼオライトＡ、ゼオライトＢ、ゼオライトＰ、ゼオライトＸ、ゼオライトＨＳの名称で及びそれらの混合物で入手可能である。ゼオライトＡは、次式を有する：
Ｎａ１２［ＡｌＯ２）１２（ＳｉＯ２）１２］．ｘＨ２Ｏ
式中、ｘは２０〜３０であり、特に２７である。ゼオライトＸは式Ｎａ８６［（ＡｌＯ２）８６（ＳｉＯ２）１０６］．２７６Ｈ２Ｏを有する。
【００８９】
別の好ましいアルミノシリケートゼオライトは、ゼオライトＭＡＰ結合剤である。
【００９０】
ゼオライトＭＡＰは、組成物の１重量％〜８０重量％、より好ましくは１５重量％〜４０重量％のレベルで存在することができる。
【００９１】
ゼオライトＭＡＰは、ＥＰ３８４０７０Ａ（ユニレバー（Ｕｎｉｌｅｖｅｒ））に記載されている。これは、ケイ素とアルミニウムとの比率が１．３３以下、好ましくは０．９〜１．３３の範囲、より好ましくは０．９〜１．２の範囲である、ゼオライトＰ型のアルカリ金属アルミノシリケートと定義される。
【００９２】
特に興味深いものは、ケイ素とアルミニウムとの比率が１．１５以下、より詳細には１．０７以下である、ゼオライトＭＡＰである。
【００９３】
好ましい態様において、ゼオライトＭＡＰ洗剤結合剤は、１．０〜１０．０μｍ、より好ましくは２．０〜７．０μｍ、最も好ましくは２．５〜５．０μｍのｄ５０値として表される、粒径を有する。
【００９４】
このｄ５０値は、粒子の５０重量％が、その数値より小さい直径を有することを示す。粒径は、特に、走査型電子顕微鏡を使用した顕微鏡決定等の従来の分析技法で、又はレーザーグラニュロメーターを用いて、決定することができる。その他の、ｄ５０値を確定する方法は、ＥＰ３８４０７０Ａに開示されている。
【００９５】
キレート剤
本明細書における組成物は、本明細書で重金属イオン封鎖剤とも呼ぶ、キレート剤を１種以上含んでもよい。好ましいキレート剤は、より詳細に後述する。
【００９６】
重金属イオン封鎖剤
本明細書における組成物は、好ましくは任意の成分として重金属イオン封鎖剤を含有する。重金属イオン封鎖剤とは、本明細書では、重金属イオンを封鎖する（キレート）作用を行う成分を意味する。これらの成分はカルシウム及びマグネシウムキレート能力を有する可能性があるが、それらは優先的に鉄、マンガン及び銅などの重金属イオンと結合する選択性を示す。
【００９７】
重金属イオン封鎖剤は、一般に、組成物の０．００５重量％〜１０重量％、好ましくは０．１重量％〜５重量％、より好ましくは０．２５重量％〜７．５重量％、及び最も好ましくは０．３重量％〜２重量％の濃度で存在する。
【００９８】
本明細書の使用に適当な重金属イオン封鎖剤としては、アミノアルキレンポリ（アルキレンホスホネート）、アルカリ金属エタン１−ヒドロキシジホスホネート類及びニトリロトリメチレンホスホネートなどの有機ホスホネート類が挙げられる。
【００９９】
前述の種の中で好ましいのは、ジエチレントリアミンペンタ（メチレンホスホネート）、エチレンジアミントリ（メチレンホスホネート）ヘキサメチレンジアミンテトラ（メチレンホスホネート）及びヒドロキシ−エチレン１，１ジホスホネート、１，１ヒドロキシエタンジホスホン酸及び１，１ヒドロキシエタンジメチレンホスホン酸である。
【０１００】
本発明への使用に適当なその他の重金属イオン封鎖剤には、ニトリロ三酢酸、及びエチレンジアミノ四酢酸、エチレンジアミン二コハク酸、エチレンジアミン二グルタル酸、２−ヒドロキシプロピレンジアミン二コハク酸のようなポリアミノカルボン酸、又はそれらのいずれかの塩が含まれる。
【０１０１】
本明細書での使用に適当な他の重金属イオン封鎖剤は、ＥＰ３１７，５４２Ａ及びＥＰ３９９，１３３Ａに記載されている、２−ヒドロキシエチル二酢酸又はグリセリルイミノ二酢酸などのイミノ二酢酸誘導体である。ＥＰ−Ａ−５１６，１０２Ａに記載のイミノ二酢酸−Ｎ−２−ヒドロキシプロピルスルホン酸及びアスパラギン酸Ｎ−カルボキシメチルＮ−２−ヒドロキシプロピル−３−スルホン酸封鎖剤も本明細書に好適である。ＥＰ−Ａ−５０９，３８２Ａに記載のβ−アラニン−Ｎ，Ｎ’−二酢酸、アスパラギン酸−Ｎ，Ｎ’−二酢酸、アスパラギン酸−Ｎ−一酢酸及びイミノ二コハク酸封鎖剤もまた好適である。
【０１０２】
ＥＰ−Ａ−４７６，２５７Ａには適当なアミノベースの金属封鎖剤が記載されている。ＥＰ−Ａ−５１０，３３１Ａにはコラーゲン、ケラチン又はカゼインから誘導される適当な封鎖剤が記載されている。ＥＰ−Ａ−５２８，８５９Ａには適当なアルキルイミノ二酢酸封鎖剤が記載されている。ジピコリン酸及び２−ホスホノブタン−１，２，４−トリカルボン酸もまた好適である。グリシナミド−Ｎ，Ｎ’−二コハク酸（ＧＡＤＳ）、エチレンジアミン−Ｎ，Ｎ’−二グルタル酸（ＥＤＤＧ）及び２−ヒドロキシプロピレンジアミン−Ｎ，Ｎ’−二コハク酸（ＨＰＤＤＳ）もまた好適である。
【０１０３】
特に好ましいのは、ジエチレントリアミン五酢酸、エチレンジアミン−Ｎ，Ｎ’−ニコハク酸（ＥＤＤＳ）、及び１，１ヒドロキシエタンジホスホン酸、又はそれらのアルカリ金属塩、アルカリ土類金属塩、アンモニウム塩、若しくは置換されたアンモニウム塩、又はそれらの混合物である。
【０１０４】
漂白剤
本明細書における組成物は、１種以上の漂白剤を含んでもよい。本明細書で使用するのに好ましい漂白剤は、より詳細に後述する。
【０１０５】
過水和物漂白剤
好ましい補足的漂白剤は、金属過ホウ酸塩、金属過炭酸塩、特にナトリウム塩等の過水和物漂白剤である。過ホウ酸は、モノ又はテトラ水和物であり得る。過炭酸ナトリウムは２Ｎａ２ＣＯ３．３Ｈ２Ｏ２に相当する式を有し、結晶性固体として市販されている。
【０１０６】
カリウムペルオキシモノペルスルフェート、ナトリウムペルは、本明細書における組成物で有用なもう１つの任意の無機過水和物塩である。
【０１０７】
有機ペルオキシ酸漂白剤系
本明細書における組成物の好ましい特徴は、有機ペルオキシ酸漂白剤系である。ある好ましい上記漂白系の実施例には、過酸化水素源及び有機ペルオキシ酸漂白剤前駆体化合物を含有する。前駆体と過酸化水素の供給源とのその場での反応を介して、有機過オキソ酸が生産される。好ましい過酸化水素源としては、過ホウ酸漂白剤等の、無機過水和物漂白剤などがある。代替の好ましい実行では、予備形成有機ペルオキシ酸を、本明細書における組成物に直接組み込む。本明細書における組成物は、過酸化水素源と有機ペルオキシ酸前駆体との混合物を、予備形成した有機ペルキシ酸と組み合わせて含有してもよい。
【０１０８】
ペルオキシ酸漂白剤前駆体
過オキソ酸漂白剤前駆体は、過オキソ酸を生成するための過加水分解反応において過酸化水素と反応する化合物である。一般に、過オキソ酸漂白剤前駆体は以下のように表されてもよい。
【化２０】
2004515573.tif 000021
式中、過加水分解で生成するペルオキシ酸の構造が次の式ようになるように、Ｌは脱離基であり、Ｘは、本質的にいずれかの官能基である。
【化２１】
2004515573.tif 000022
【０１０９】
ペルオキシ酸漂白剤前駆体化合物は、好ましくは本明細書における組成物の０．５重量％〜２０重量％、より好ましくは１重量％〜１５重量％、最も好ましくは１．５重量％〜１０重量％のレベルで組み込まれる。
【０１１０】
適当な過オキソ酸漂白剤前駆体化合物は、通常、一つ以上のＮ−又はＯ−アシル基を含有し、前駆体は幅広い範囲の部類から選択することができる。適当な部類には、無水物、エステル類、イミド類、ラクタム類及びイミダゾール類、並びにオキシム類のアシル化誘導体が挙げられる。このような部類の範囲内で有用な物質の例は、英国特許ＧＢ−Ａ−１５８６７８９に記載されている。適当なエステル類は、ＧＢ−Ａ−８３６９８８、同８６４７９８、同１１４７８７１、同２１４３２３１及びＥＰ−Ａ−０１７０３８６に開示されている。
【０１１１】
脱離基
脱離基、今後Ｌ基は、最適な時間枠（例えば、洗濯サイクル）の中で過加水分解が起きるように十分に反応性がなければならない。しかしながら、Ｌに反応性がありすぎる場合、この活性化剤は本明細書の使用において安定化することが難しい。
【０１１２】
好ましいＬ基は
【化２２】
2004515573.tif 000023
及びそれらの混合物からなる群から選択され、式中、Ｒ１は、１〜１４個の炭素原子を含有するアルキル、アリール、又はアルカリール基であり、Ｒ３は、１〜８個の炭素原子を含有するアルキル鎖であり、Ｒ４は、Ｈ又はＲ３であり、ＹはＨ又は可溶性基である。Ｒ１、Ｒ３及びＲ４のいずれも、例えば、アルキル、ヒドロキシ、アルコキシ、ハロゲン、アミン、ニトロシル、アミド及びアンモニウム又はアルキルアンモニウム基を含む本質的にいかなる官能基で置換されてもよい。
【０１１３】
好ましい可溶化基は、−ＳＯ３−Ｍ＋、−ＣＯ２−Ｍ＋、−ＳＯ４−Ｍ＋、−Ｎ＋（Ｒ３）４Ｘ−及びＯ←Ｎ（Ｒ３）３、並びに最も好ましくは−ＳＯ３−Ｍ＋及び−ＣＯ２−Ｍ＋であり、その際、Ｒ３は、１〜４個の炭素原子を含有するアルキル鎖であり、Ｍは、漂白剤活性化剤に可溶性を提供するカチオンであり、Ｘは、漂白剤活性化剤に可溶性を提供するアニオンである。好ましくは、Ｍは、アルカリ金属、アンモニウム、又は置換アンモニウムの陽イオンであり、ナトリウム及びカリウムが最も好ましく、Ｘは、ハロゲン化物、水酸化物、メチルサルフェート、又はアセテートの陰イオンである。
【０１１４】
アルキル過カルボン酸漂白剤前駆体
アルキル過カルボン酸漂白剤前駆体は、過加水分解において過カルボン酸を形成する。この種の好ましい前駆体は、過加水分解において過酢酸を提供する。
【０１１５】
好ましいイミド型アルキル過カルボン酸前駆体化合物には、Ｎ−，Ｎ，Ｎ１Ｎ１テトラアセチル化アルキレンジアミン類が挙げられ、その際、アルキレン基は１〜６の炭素原子を含有し、特に、アルキレン基が１、２及び６の炭素原子を含有する化合物である。テトラアセチルエチレンジアミン（ＴＡＥＤ）は特に好ましい。
【０１１６】
その他の好ましいアルキル過カルボン酸前駆体には、３，５，５−トリメチルヘキサノイルオキシベンゼンスルホン酸ナトリウム（イソ−ＮＯＢＳ）、ノナノイルオキシベンゼンスルホン酸ナトリウム（ＮＯＢＳ）、アセトキシベンゼンスルホン酸ナトリウム（ＡＢＳ）及びペンタアセチルグルコースが挙げられる。
【０１１７】
アミド置換アルキルペルオキシ酸前駆体
アミド置換アルキルペルオキシ酸前駆体化合物は、本明細書で使用するのに好適であり、次の一般式のものが挙げられる。
【化２３】
2004515573.tif 000024
式中、Ｒ１は、１〜１４の炭素原子を持つアルキル基であり、Ｒ２は、１〜１４の炭素原子を含有するアルキレン基であり、Ｒ５は、Ｈ又は１〜１０の炭素原子を含有するアルキル基であり、Ｌは本質的にいかなる脱離基であってもよい。この種類のアミド置換型漂白剤活性化化合物がＥＰ−Ａ−０１７０３８６Ａに記載されている。
【０１１８】
予備形成有機ペルオキシ酸
本明細書における組成物は、有機ペルオキシ酸漂白前駆体化合物に加えて、又は代替物として、予備形成有機ペルオキシ酸を、一般に、組成物の１重量％〜１５重量％、より好ましくは１重量％〜１０重量％のレベルで含有してもよい。
【０１１９】
有機過オキソ酸化合物の好ましい部類は、以下の一般式の酸アミド置換化合物である。
【化２４】
2004515573.tif 000025
式中、Ｒ１は、１〜１４個の炭素原子を有するアルキル基、アリール基、若しくはアルカリール基であり、Ｒ２は、１〜１４個の炭素原子を含有するアルキレン基、アリーレン基、及びアルカリーレン基であり、Ｒ５はＨ、または１〜１０個の炭素原子を含有するアルキル基、アリール基、若しくはアルカリール基である。この種類のアミド置換型有機過オキソ酸化合物がＥＰ−Ａ−０１７０３８６に記載されている。
【０１２０】
その他の有機ペルオキシ酸には、ジアシルペルオキシド類及びテトラアシルペルオキシド類、特に、ジペルオキシドデカン二酸、ジペルオキシテトラデカン二酸及びジペルオキシヘキサデカン二酸が挙げられる。モノ−及びジペルアゼライン酸、モノ及びジペルブラシル酸、並びにＮ−フタロイルアミノペルオキシカプロン酸も、本明細書での使用に好適である。
【０１２１】
酵素
本明細書における組成物で有用な、別の好ましい成分は、１種以上の添加酵素である。
【０１２２】
好ましい添加酵素材料としては、従来、本明細書における組成物中に組み込まれている、市販のリパーゼ類、クチナーゼ類、アミラーゼ類、中性及びアルカリプロテアーゼ類、セルラーゼ類、エンドラーゼ類、エステラーゼ類、ペクチナーゼ類、ラクターゼ類及びペルオキシダーゼ類などが挙げられる。適当な酵素は米国特許第３，５１９，５７０号及び第３，５３３，１３９号に記載されている。
【０１２３】
市販の好ましいプロテアーゼ酵素には、ノヴォインダストリーズＡ／Ｓ（Ｎｏｖｏ Ｉｎｄｕｓｔｒｉｅｓ Ａ／Ｓ）（デンマーク）より商品名をアルカラーゼ（Ａｌｃａｌａｓｅ）、サビナーゼ（Ｓａｖｉｎａｓｅ）、プライマーゼ（Ｐｒｉｍａｓｅ）、デュラツィム（Ｄｕｒａｚｙｍ）及びエスペラーゼ（Ｅｓｐｅｒａｓｅ）として販売されるもの、ギストブロカデス（Ｇｉｓｔ−Ｂｒｏｃａｄｅｓ）より商品名をマクサターゼ（Ｍａｘａｔａｓｅ）、マクサカル（Ｍａｘａｃａｌ）及びマクサペム（Ｍａｘａｐｅｍ）として販売されるもの、ジェネンカ・インターナショナル（Ｇｅｎｅｎｃｏｒ Ｉｎｔｅｒｎａｔｉｏｎａｌ）より販売されるもの及びソルベー・エンザイム（Ｓｏｌｖａｙ Ｅｎｚｙｍｅｓ）より商品名をオプティクリーン（Ｏｐｔｉｃｌｅａｎ）及びオプティマーゼ（Ｏｐｔｉｍａｓｅ）として販売されるものが含まれる。プロテアーゼ酵素は本明細書の組成物に、組成物の約０．０００１重量％〜約４重量％の活性酵素濃度で混合されてもよい。
【０１２４】
好ましいアミラーゼ類には、例えばバチルス・リケニフォルミス（Ｂ．ｌｉｃｈｅｎｉｆｏｒｍｉｓ）の特殊な株から得られるα−アミラーゼが含まれ、ＧＢ１，２６９，８３９（ノヴォ（Ｎｏｖｏ））にその詳細が記載されている。市販の好ましいアミラーゼとしては、例えばギスト−ブロケーズ（Ｇｉｓｔ−Ｂｒｏｃａｄｅｓ）より商品名ラピダーゼとして販売されるもの、及びノヴォインダストリーズ（Ｎｏｖｏ Ｉｎｄｕｓｔｒｉｅｓ）Ａ／Ｓより商品名ターマミル（Ｔｅｒｍａｍｙｌ）、ドゥラミル（Ｄｕｒａｍｙｌ）及びバン（ＢＡＮ）として販売されるものが挙げられる。きわめて好ましいアミラーゼ酵素はおそらく、ＰＣＴ／ＵＳ９７／０３６３５及びＷＯ９５／２６３９７及びＷＯ９６／２３８７３に記載されている酵素である。
【０１２５】
アミラーゼ酵素は本明細書の組成物に、組成物の約０．０００１重量％〜約２重量％の活性酵素濃度で混合されてもよい。
【０１２６】
脂質分解酵素は、本組成物の０．０００１重量％〜２重量％、好ましくは０．００１重量％〜１重量％、最も好ましくは０．００１重量％〜０．５重量％という有効な脂質分解酵素レベルで存在してもよい。
【０１２７】
リパーゼは、例えばヒューミコラ（Ｈｕｍｉｃｏｌａ）株、サーモミセス（Ｔｈｅｒｍｏｍｙｃｅｓ）株、又はシュードモナス（Ｐｓｅｕｄｏｍｏｎａｓ）シュードアルカリゲネス（ｐｓｅｕｄｏａｌｃａｌｉｇｅｎｅｓ）あるいはシュードモナスフルオレッセン（Ｐｓｅｕｄｏｍｏｎａｓ ｆｌｕｏｒｅｓｃｅｎｓ）を包含するシュードモナス（Ｐｓｅｕｄｏｍｏｎａｓ）株のリパーゼ生成株から得られる本来真菌又は細菌性であってよい。これらの株の化学的又は遺伝子的に修飾された変異体由来のリパーゼも本明細書において有用である。好ましいリパーゼはシュードモナス（Ｐｓｅｕｄｏｍｏｎａｓ）シュードアルカリゲネス（ｐｓｅｕｄｏａｌｃａｌｉｇｅｎｅｓ）から誘導されたもので、ＥＰ−Ｂ−０，２１８，２７２に記載されている。
【０１２８】
本明細書において適当な他のリパーゼは、ＥＰ−Ａ−０２５８，０６８に述べられるように、ヒューミコラ（Ｈｕｍｉｃｏｌａ）ラヌギノーサ（ｌａｎｕｇｉｎｏｓａ）からの遺伝子のクローニング、及び宿主としてのアスペルギルス（Ａｓｐｅｒｇｉｌｌｕｓ）オリザ（ｏｒｙｚａ）における遺伝子の発現によって得られ、ノヴォインダストリーズ（Ｎｏｖｏ Ｉｎｄｕｓｔｒｉｅｓ）Ａ／Ｓ（デンマーク、バグスバード）より商品名リポラーゼとして市販されている。このリパーゼはまた、米国特許第４，８１０，４１４号（ヒュージ−ジェンセン（Ｈｕｇｅ−Ｊｅｎｓｅｎ）ら、１９８９年、３月７日発行）に記載されている。
【０１２９】
泡抑制系
本明細書における組成物は、機械洗浄用組成物向けに配合されるとき、本組成物の０．０１重量％〜１５重量％、好ましくは０．０２重量％〜１０重量％、最も好ましくは０．０５重量％〜３重量％のレベルで泡抑制剤を含んでもよい。
【０１３０】
本明細書の使用に適当な泡抑制系は、例えば、本質的に、シリコーン発泡防止化合物及び２−アルキルアルカノール発泡防止化合物を包含するいずれかの既知の発泡防止化合物を含んでもよい。
【０１３１】
消泡化合物は、本明細書においては洗剤組成物の溶液によって生成される、特に溶液の攪拌下で生成される発泡又は泡立を抑制するように作用する任意の化合物又は化合物の混合物を意味する。
【０１３２】
本明細書での使用に特に好ましい消泡化合物は、シリコーン構成成分を含むいずれかの消泡化合物として本明細書で定義されるシリコーン消泡化合物である。かかるシリコーン消泡化合物も典型的にはシリカ構成成分を含有する。用語「シリコーン」は本明細書で使用する時、及び一般的に産業界においては、シロキサン単位及び多様な種類のヒドロカルビル基を含有する多様な比較的高分子量のポリマー類を包含する。好ましいシリコーン消包化合物は、シロキサン、特にトリメチルシリル末端ブロック単位を有するポリジメチルシロキサン類である。
【０１３３】
他の適切な消泡化合物には、モノカルボキシ脂肪酸及びその可溶性塩が挙げられる。これらの物質は米国特許第２，９５４，３４７号（１９６０年９月２７日発行、ウェインセントジョン（Ｗａｙｎｅ Ｓｔ．Ｊｏｈｎ））に記載されている。泡抑制剤として用いられるモノカルボキシル脂肪酸及びその塩は典型的には、１０〜２４個の炭素原子、好ましくは１２〜１８個の炭素原子のヒドロカルビル鎖を有する。適切な塩には、ナトリウム塩、カリウム塩及びリチウム塩のようなアルカリ金属塩、並びにアンモニウム塩及びアルカノールアンモニウム塩が挙げられる。
【０１３４】
他の適当な発泡防止剤化合物としては、例えば、高分子量脂肪酸エステル類（例えば脂肪酸トリグリセリド）、一価アルコールの脂肪酸エステル類、脂肪族Ｃ１８〜Ｃ４０ケトン（例えば、ステアロン）、塩化シアヌルと２モル又は３モルの１〜２４個の炭素原子を含有する一級又は二級アミンの生成物として形成されるトリ−ヘキサ−アルキルメラミン又はジ−テトラアルキルジアミンクロルトリアジンなどのＮ−アルキル化アミノトリアジン、プロピレンオキシド、ビスステアリン酸アミド及びモノステアリルジアルキル金属（例えば、ナトリウム、カリウム、リチウム）ホスフェート類並びにホスフェートエステル類が挙げられる。
【０１３５】
好ましい泡抑制系は、以下を含む：
（ａ）消泡剤化合物、好ましくはシリコーン消泡剤化合物、最も好ましくはシリコーン消泡剤化合物であって、以下を一緒に含む：
（ｉ）シリコーン消泡剤化合物の５０重量％〜９９重量％、好ましくは７５重量％〜９５重量％のレベルのポリジメチルシロキサン：及び
（ｉｉ）シリコーン／シリカ消泡剤化合物の１重量％〜５０重量％、好ましくは５重量％〜２５重量％のレベルのシリカ：
上記シリコーン／シリカ消泡剤化合物が５重量％〜５０重量％、好ましくは１０重量％〜４０重量％のレベルで組み込まれることを特徴とする：消泡剤化合物：
（ｂ）分散剤化合物、最も好ましくはポリオキシアルキレン含量が７２〜７８％であり、エチレンオキシドとプロピレンオキシドとの比率が１：０．９〜１：１．１であるシリコーングリコールレーキコポリマーを０．５重量％〜１０重量％、好ましくは１重量％〜１０重量％のレベルで含む、分散剤化合物；この種の特に好ましいシリコーングリコールレーキコポリマーは、ダウコーニング（ＤＯＷ Ｃｏｒｎｉｎｇ）からＤＣＯ５４４の商品名で市販されているＤＣＯ５４４である；
（ｃ）不活性担体流動性化合物、最も好ましくはエトキシ化度が５〜５０、好ましくは８〜１５であるＣ１６〜Ｃ１８エトキシ化アルコールを、５重量％〜８０重量％、好ましくは１０重量％〜７０重量％のレベルで含む不活性担体流動性化合物；
非常に好ましい粒子状泡抑制系がＥＰ−Ａ−０２１０７３１に記載されており、及びシリコーン発泡防止化合物及び５０℃〜８５℃の範囲の融点を有する有機キャリア物質を含み、その際有機キャリア物質はグリセロールのモノエステル及び１２〜２０個の炭素原子を含有する炭素鎖を有する脂肪酸のモノエステルを含む。
【０１３６】
ＥＰ−Ａ−０２１０７２１には、有機キャリア物質が１２〜２０個の炭素原子を含有する炭素鎖を有する脂肪酸又はアルコール、又はこれらの混合物であり、融点が４５℃〜８０℃である、他の好ましい粒子状泡抑制系について開示されている。
【０１３７】
他の極めて好ましい泡抑制系は、ポリジメチルシロキサン、又はポリジメチルシロキサン、アルミノシリケート及び乳酸とアクリル酸のコポリマー等のポリカルボキシルポリマー等の、シリコーン混合物を含む。
【０１３８】
ポリマー染料再移染阻害剤
本明細書の組成物は、０．０１重量％〜１０重量％、好ましくは０．０５重量％〜０．５重量％のポリマー染料付着阻害剤を含んでよい。
【０１３９】
上記高分子移染抑制剤は、好ましくはポリアミン−Ｎ−オキシドポリマー、Ｎ−ビニルピロリドン及びＮ−ビニルイミダゾールのコポリマー、ポリビニルピロリドンポリマー又はそれらの組み合わせより選択され、その際これらのポリマーは架橋ポリマーであり得る。
【０１４０】
光学的光沢剤
本明細書における組成物は、任意に、約０．００５重量％〜５重量％のある種の親水性光学的光沢剤も含んでもよい。
【０１４１】
本発明で有用な親水性の光学的光沢剤には次の構造式を有するものを含む。
【化２５】
2004515573.tif 000026
式中、Ｒ１は、アニリノ、Ｎ−２−ビス−ヒドロキシエチル及びＮＨ−２−ヒドロキシエチルから選択され；Ｒ２は、Ｎ−２−ビス−ヒドロキシエチル、Ｎ−２−ヒドロキシエチル−Ｎ−メチルアミノ、モルフィリノ、クロロ及びアミノから選択され；Ｍは、ナトリウム又はカリウムのような塩を形成する陽イオンである。
【０１４２】
前記式において、Ｒ１がアニリノ、Ｒ２がＮ−２−ビス−ヒドロキシエチル、及びＭがナトリウムのような陽イオンである場合、光沢剤は４，４’−ビス［（４−アニリノ−６−（Ｎ−２−ビス−ヒドロキシエチル）−ｓ−トリアジン−２−イル）アミノ］−２，２’−スチルベンジスルホン酸及び二ナトリウム塩である。この特定の光沢剤種は、チバ・ガイギーコーポレーション（Ｃｉｂａ−Ｇｅｉｇｙ Ｃｏｒｐｏｒａｔｉｏｎ）からチノパル（Ｔｉｎｏｐａｌ）−ＵＮＰＡ−ＧＸの商品名で市販されている。チノポ−ル（Ｔｉｎｏｐａｌ）−ＣＢＳ−Ｘ及びチノポ−ル−ＵＮＰＡ−ＧＸは、本明細書の組成物における好ましい親水性光沢剤である。
【０１４３】
前記式において、Ｒ１がアニリノ、Ｒ２がＮ−２−ヒドロキシエチル−Ｎ−２−メチルアミノ、及びＭがナトリウムのような陽イオンである場合、光沢剤は４，４’−ビス［（４−アニリノ−６−（Ｎ−２−ヒドロキシエチル−Ｎ−メチルアミノ）−ｓ−トリアジン−２−イル）アミノ］２，２’−スチルベンジスルホン酸二ナトリウム塩である。この特定の光沢剤種は、チバ・ガイギーコーポレーション（チバ−ガイギーＣｏｒｐｏｒａｔｉｏｎ）からチノパル（Ｔｉｎｏｐａｌ）−５ＢＧ−ＧＸの商品名で市販されている。
【０１４４】
前記式において、Ｒ１がアニリノ、Ｒ２がモルフィリノ、及びＭがナトリウムのような陽イオンである場合、光沢剤は４，４’−ビス［（４−アニリノ−６−モルフィリノ−ｓ−トリアジン−２−イル）アミノ］２，２’−スチルベンジスルホン酸ナトリウム塩である。この特定の光沢剤の種類は、チバ・ガイギーコーポレーション（Ｃｉｂａ−Ｇｅｉｇｙ Ｃｏｒｐｏｒａｔｉｏｎ）からチノパル（Ｔｉｎｏｐａｌ）−ＤＭＳ−Ｘ及びチノパル（Ｔｉｎｏｐａｌ）−ＡＭＸ−ＧＸの商品名で市販されている。
【０１４５】
その他の任意成分
本明細書で使用するのに適当な他の任意の成分としては、香料、着色剤及び賦形剤塩類などがあり、硫酸ナトリウムが好ましい賦形剤塩である。
【０１４６】
好ましくは本明細書における組成物は、約２重量％〜約１０重量％の有機酸、好ましくはクエン酸を含んでもよい。また、炭酸塩、少量の（例えば、約２０重量％未満）の中和剤、緩衝剤、相調節剤、向水性物質、酵素安定剤、ポリ酸類、泡抑制剤、不透明化剤、酸化防止剤、殺菌剤及び染料と好ましく配合された、たとえば、バラット（Ｂａｒｒａｔ）らに付与された米国特許第４，２８５，８４１号（１９８１年８月２５日発行）に記載のものも存在してもよい。
【０１４７】
組成物
本明細書における組成物は、固形洗剤組成物である。本明細書における組成物は、顆粒組成物等の固形形態、例えば、組成物を含有するタブレット、フレーク、押出物、粒塊又は顆粒であってもよい。本明細書における組成物は、本明細書における組成物中に含まれる様々な成分、又はそれらの組み合わせのドライブレンド、粒塊形成、圧縮、スプレー乾燥等の方法で製造することができる。本明細書における組成物は、好ましくは３００ｇ／リットル又はさらに３５０ｇ／リットル又は４５０ｇ／リットルから好ましくは１５００ｇ／リットル又は１０００ｇ／リットル又はさらに８５０ｇ／リットルまでの原体密度を有する。
【０１４８】
本明細書における組成物は、ヘクトライト粘土及び２八面体型スメクタイト粘土を含む。上記ヘクトライト粘土と上記２八面体型スメクタイト粘土との比率は、１：１未満、好ましくは０．８：１未満、より好ましくは０．６：１未満、又は好ましくは０．１：１〜０．９：１、より好ましくは０．２：１〜０．７：１、より好ましくは０．２：１〜０．５：１である。
【０１４９】
好ましくは、上記組成物は１０重量％以下、又は好ましくは１重量％〜１０重量％、好ましくは５重量％〜１５重量％、より好ましくは７重量％〜１０重量％の量の粘土を含む。好ましくは、上記粘土は３５重量％以下、好ましくは３５重量％未満の不純物、例えばミネラル不純物を含み、一般的な不純物としては、カルサイトなどがある。
【０１５０】
好ましくは、粘土は、別個の予備形成された粒子として、又は洗剤成分粒子のコーティングとして、好ましくは別個の予備形成された粒子として、上記組成物中に存在する。
【０１５１】
好ましくは、上記予備形成された粒子は、２５０〜１５００μｍ、より好ましくは５００〜１３５０μｍ、より好ましくは６００〜１２００μｍ、より好ましくは８００μｍ〜１０００μｍの重量平均粒径を有する。上記ヘクトライト粘土及び上記２八面体型スメクタイト粘土は、別個の予備形成された同一粒子中に存在してもよく、予備形成された異なる粒子中に存在してもよい。
【０１５２】
上記予備形成された粒子は、界面活性剤、結合剤、キレート剤、漂白剤、賦形剤又はそれらの組み合わせ等の、補足的洗剤成分を含んでもよい。好ましくは、上記予備形成された粒子は、１種以上の結合剤を含む。本明細書で使用するための一般的な結合剤としては、保湿剤及び／又は疎水性化合物、好ましくはワックス又はパラフィン油等の油などがある。好ましい結合剤は、プロピレングリコール、エチレングリコール、グリコールのダイマー又はトリマーを包含する有機化合物であり、最も好ましくはグリセロールである。別の好ましい結合剤は水である。予備形成された粒子が凝集剤を含むことも好ましいことがあり、上記凝集剤は、本明細書に詳細に説明されている。好ましくは、上記予備成形された粒子は、粒塊、押出物、スプレー乾燥顆粒又はそれらの組み合わせ、好ましくは粒塊の形態で存在する。好ましくは、上記予備形成された粒子は粒塊の形態であり、結合剤を含む。
【０１５３】
洗濯洗浄方法
本明細書における洗濯方法は、一般に、本明細書における組成物の有効量を中に溶解した又は分散させた、機械で洗濯するため又は手で洗濯するための洗濯用水溶液で、汚れた洗濯物を処理することを含む。本組成物の有効量は、従来の洗濯方法で一般的に使用される代表的な製品使用量及び洗濯用溶液容量である、１〜６５リットルの容量の洗濯用溶液に溶解した又は分散させた４０ｇ〜３００ｇの上記組成物を意味する。当業界で既知の他の洗濯物洗浄工程も使用できる。
【０１５４】
（実施例）
実施例１
ベントンＨＣ（Ｂｅｎｔｏｎｅ ＨＣ）の商品名でレオックス（Ｒｈｅｏｘ）により供給されるヘクトライト粘土粉末１５０ｇ及び「ＡＰベース」の商品名でＣＳＭにより供給されるモンモリロナイト粘土粉末３００ｇをフードミキサーに加え、半分の速度で１０秒間混合して粘土混合物を作る。グリセロール２２．５ｇを、グリセロールの添加期間中ずっと半分の速度で絶えず混合されている粘土混合物に徐々に加え、グリセロール−粘土混合物を作る。蒸留水９０ｇを、水の添加期間中ずっと全速で絶えず混合されているグリセロール−粘土混合物に徐々に加え、湿った粘土粒塊を作る。この湿った粘土粒塊に、７０℃の溶融パラフィンワックス１５ｇを加え、この粒塊をフードミキサー内で、全速で５秒間混合する。
【０１５５】
次いで、この湿った粘土粒塊をシャーウッド（Ｓｈｅｒｗｏｏｄ）流動床乾燥機に移し、５分間乾燥させて粘土粒塊を作る。乾燥期間中、乾燥機内の空気の温度は６０℃であり、乾燥機内の空気の流速は１．２ｍ／秒である。乾燥ステップ後の粘土粒塊の含水率は、粒塊の５重量％である。次いで、メッシュサイズが２５０μｍ及び１１８０μｍであるＲＯＴＡＰ篩を使用して、この粘土粒塊を篩にかけ、２５０〜１１８０μｍの粒径を有する粘土粒塊を集める。粘土粒塊１５ｇを、エステルカルボキシメチルセルロース、ポリエチレンオキシド、界面活性剤、炭酸ナトリウム、硫酸ナトリウム、ゼオライト、酵素及び泡抑制剤を含む基本洗剤粉末１２０ｇに加えて、本発明に準拠した固形の洗剤組成物を作る。
【０１５６】
実施例ＩＩ
ベントン（Ｂｅｎｔｏｎｅ）の商品名でレオックス（Ｒｈｅｏｘ）により供給されるヘクトライト粘土粉末４５０ｇをフードミキサーに加える。グリセロール２２．５ｇを、グリセロールの添加期間中ずっと半分の速度で絶えず混合されている粘土混合物に徐々に加え、グリセロール−粘土混合物を作る。蒸留水１２０ｇを、水の添加期間中ずっと全速で絶えず混合されているグリセロール−粘土混合物に徐々に加え、湿ったヘクトライト粘土粒塊を作る。この湿った粘土粒塊に、７０℃の溶融パラフィンワックス１５ｇを加え、この粒塊をフードミキサー内で、全速で５秒間混合する。次いで、この湿った粘土粒塊をシャーウッド（Ｓｈｅｒｗｏｏｄ）流動床乾燥機に移し、６分間乾燥させてヘクトライト粘土粒塊を作る。乾燥期間中、乾燥機内の空気の温度は６０℃であり、乾燥機内の空気の流速は１．２ｍ／秒である。乾燥ステップ後のヘクトライト粘土粒塊の含水率は、粒塊の５重量％である。次いで、メッシュサイズが２５０μｍ及び１１８０μｍであるＲＯＴＡＰ篩を使用して、このヘクトライト粘土粒塊を篩にかけ、２５０〜１１８０μｍの粒径を有するこのヘクトライト粘土粒塊を集める。
【０１５７】
次いで、「ＡＰベース」の商品名でＣＳＭにより供給されるモンモリロナイト粘土粉末４５０ｇをフードミキサーに加える。グリセロール２２．５ｇを、グリセロールの添加期間中ずっと半分の速度で絶えず混合されている粘土混合物に徐々に加え、グリセロール−粘土混合物を作る。蒸留水７０ｇを、水の添加期間中ずっと全速で絶えず混合されているグリセロール−粘土混合物に徐々に加え、湿ったモンモリロナイト粘土粒塊を作る。この湿ったモンモリロナイト粘土粒塊に、７０℃の溶融パラフィンワックス１５ｇを加え、この粒塊をフードミキサー内で、全速で５秒間混合する。次いで、この湿ったモンモリロナイト粘土粒塊をシャーウッド（Ｓｈｅｒｗｏｏｄ）流動床乾燥機に移し、４分間乾燥させてモンモリロナイト粘土粒塊を作る。乾燥期間中、乾燥機内の空気の温度は６０℃であり、乾燥機内の空気の流速は１．２ｍ／秒である。乾燥ステップ後のモンモリロナイト粘土粒塊の含水率は、粒塊の５重量％である。次いで、メッシュサイズが２５０μｍ及び１１８０μｍであるＲＯＴＡＰ篩を使用して、このモンモリロナイト粘土粒塊を篩にかけ、２５０〜１１８０μｍの粒径を有するモンモリロナイト粘土粒塊を集める。
【０１５８】
ヘクトライト粘土粒塊５ｇ及びモンモリロナイト粘土粒塊１０ｇを、エステルカルボキシメチルセルロース、ポリエチレンオキシド、界面活性剤、炭酸ナトリウム、硫酸ナトリウム、ゼオライト、酵素及び泡抑制剤を含む基本洗剤粉末１２０ｇに加えて、本発明に準拠した固形洗剤組成物を作る。
【０１５９】
実施例ＩＩＩ
ベントンＨＣ（Ｂｅｎｔｏｎｅ ＨＣ）の商品名でレオックス（Ｒｈｅｏｘ）により供給されるヘクトライト粘土粉末３ｇ及び「ＡＰベース」の商品名でＣＳＭにより供給されるモンモリロナイト粘土粉末７ｇを、エステルカルボキシメチルセルロース、ポリエチレンオキシド、界面活性剤、炭酸ナトリウム、硫酸ナトリウム、ゼオライト、酵素及び泡抑制剤を含む基本洗剤粉末１２５ｇに加えてドライブレンドし、本発明に準拠した固形洗剤組成物を形成した。
【０１６０】
実施例ＩＶ
次の組成物は、本発明に準拠した固形洗剤組成物である。洗剤成分の量を、上記組成物の重量％として示す。
【０１６１】
【表１】
2004515573.tif 000027
【国際公開パンフレット】
2004515573.tif 000028
2004515573.tif 000029
2004515573.tif 000030
2004515573.tif 000031
2004515573.tif 000032
2004515573.tif 000033
2004515573.tif 000034
2004515573.tif 000035
2004515573.tif 000036
2004515573.tif 000037
2004515573.tif 000038
2004515573.tif 000039
2004515573.tif 000040
2004515573.tif 000041
2004515573.tif 000042
2004515573.tif 000043
2004515573.tif 000044
2004515573.tif 000045
2004515573.tif 000046
2004515573.tif 000047
2004515573.tif 000048
2004515573.tif 000049
2004515573.tif 000050
2004515573.tif 000051
2004515573.tif 000052
2004515573.tif 000053
2004515573.tif 000054
2004515573.tif 000055
2004515573.tif 000056
2004515573.tif 000057
2004515573.tif 000058
2004515573.tif 000059
2004515573.tif 000060
2004515573.tif 000061
2004515573.tif 000062
2004515573.tif 000063
2004515573.tif 000064
2004515573.tif 000065
2004515573.tif 000066
2004515573.tif 000067
2004515573.tif 000068
2004515573.tif 000069
2004515573.tif 000070
2004515573.tif 000071
2004515573.tif 000072
2004515573.tif 000073
2004515573.tif 000074
2004515573.tif 000075
【国際公開パンフレット（コレクトバージョン）】
2004515573.tif 000076
【国際調査報告】
2004515573.tif 000077
2004515573.tif 000078
2004515573.tif 000079
2004515573.tif 000080
2004515573.tif 000081